(57)【要約】【課題】  印刷後に印刷テープ自身によりその印刷表面をラミネート可能な、印刷テープおよびこれを備えたテープカートリッジを提供することをその課題とする。【解決手段】  表面を記録面とする印刷記録層３３と、印刷記録層３３の裏面に貼着した透明な擬似ラミネート層３４とを備え、擬似ラミネート層３４は、表面側のラミ用粘着剤層３５と裏面側の透明テープ層３６とを有すると共に、表裏反転して印刷記録層３３の表面に貼着することで記録面のラミネートテープとして機能する。【選択図】  図３
2005205632.tif 000002
【特許請求の範囲】
【請求項１】
表面を記録面とする印刷記録層と、前記印刷記録層の裏面に貼着した透明な擬似ラミネート層とを備えた印刷テープであって、
前記擬似ラミネート層は、表面側のラミ用粘着剤層と裏面側の透明テープ層とを有すると共に、表裏反転して前記印刷記録層の表面に貼着することで前記記録面のラミネートテープとして機能することを特徴とする印刷テープ。
【請求項２】
表面を記録面とする印刷記録層と、前記印刷記録層の裏面に貼着した透明な擬似ラミネート層と、前記擬似ラミネート層の裏面に貼着した剥離テープ層とを備えた印刷テープであって、
前記印刷記録層は、表面側の記録テープ層と裏面側の汎用粘着剤層とを有し、
前記擬似ラミネート層は、表面側の透明テープ層と裏面側のラミ粘着剤層とを有すると共に、前記剥離テープ層を剥離して前記記録テープ層の表面に貼着することで前記記録面のラミネートテープとして機能することを特徴とする印刷テープ。
【請求項３】
前記ラミ粘着剤層は、テープ平面内において粘着剤塗着部と粘着剤非塗着部とから成り、
前記粘着剤非塗着部は、テープの幅方向両端部の少なくとも一部に形成されていることを特徴とする請求項１または２に記載の印刷テープ。
【請求項４】
前記粘着剤非塗着部は、テープの長さ方向に平行であって、少なくともテープ幅方向両端部を含む複数の縦断帯状部位で構成されていることを特徴とする請求項３に記載の印刷テープ。
【請求項５】
前記粘着剤非塗着部は、テープの長さ方向に対し傾斜し且つ相互に平行な複数の傾斜帯状部位で構成されていることを特徴とする請求項３に記載の印刷テープ。
【請求項６】
前記粘着剤非塗着部は、テープ幅方向に平行な複数の横断帯状部位で構成されていることを特徴とする請求項３に記載の印刷テープ。
【請求項７】
前記粘着剤塗着部は、分散配置した複数の島状部位で構成されていることを特徴とする請求項３に記載の印刷テープ。
【請求項８】
表面を記録面とする印刷記録層と、前記印刷記録層の裏面に貼着した剥離テープ層と、前記剥離テープ層の裏面に貼着した透明な擬似ラミネート層とを備えた印刷テープであって、
前記印刷記録層は、表面側の記録テープ層と裏面側の汎用粘着剤層とを有し、
前記擬似ラミネート層は、表面側のラミ粘着剤層と裏面側の透明テープ層とを有すると共に、前記剥離テープ層を剥離し且つ表裏反転して前記記録テープ層の表面に貼着することで前記記録面のラミネートテープとして機能することを特徴とする印刷テープ。
【請求項９】
表面を記録面とする印刷記録層と、前記印刷記録層の裏面に貼着した透明な擬似ラミネート層とを備えた印刷テープであって、
前記印刷記録層は、表面側の記録テープ層と裏面側の汎用粘着剤層とを有し、
前記擬似ラミネート層は、表面側のラミ用粘着剤層と裏面側の透明テープ層とを有すると共に、表裏反転して前記記録テープ層の表面に貼着することで前記記録面のラミネートテープとして機能し、
前記汎用粘着剤層および前記ラミ粘着剤層は、それぞれテープ平面内において複数の粘着剤塗着部位と複数の粘着剤非塗着部位とを交互に配置し、且つ前記各粘着剤塗着部位と前記各粘着剤非塗着部位とを相補的に貼り合せて成ることを特徴とする印刷テープ。
【請求項１０】
前記汎用粘着剤層および前記ラミ粘着剤層のテープの幅方向両端部に位置する粘着剤塗着部位の少なくとも一部は、省略されていることを特徴とする請求項９に記載の印刷テープ。
【請求項１１】
ロール状に巻回した請求項１ないし１０のいずれかに記載の印刷テープと、
前記印刷テープを繰出し自在に収容したカートリッジケースと、を備えたことを特徴とするテープカートリッジ。
【発明の詳細な説明】
【技術分野】
【０００１】
本発明は、テープ印刷装置に印刷対象物として投入される印刷テープおよびこれを備えたテープカートリッジに関するものである。
【背景技術】
【０００２】
従来のテープカートリッジには、カートリッジケース内に印刷テープおよびインクリボンを繰出し自在に収容したもの（例えば、特許文献１参照）と、カートリッジケース内に印刷テープ、ラミネートテープおよびインクリボンを繰出し自在に収容したもの（例えば、特許文献２参照）とがある。これら２種類のテープカートリッジは、それぞれ専用のテープ印刷装置に投入されることで、前者のものでは印刷テープへの印刷とテープカットが行なわれてラベルが作成され、後者のものでは、印刷テープへの印刷とラミネートテープの貼合せとテープカットが行なわれてラミネート済み印刷テープが作成される。
【特許文献１】特開平１０−２１７５５０号公報
【特許文献２】特開平７−６１１００号公報
【発明の開示】
【発明が解決しようとする課題】
【０００３】
ところで、後者のテープ印刷装置では、ラミネートを省略したテープカートリッジを投入することで、ラミネート無しのラベルを作成可能であるが、前者のテープ印刷装置では、印刷テープとラミネートテープを貼り合わせる機構が無いため、例えラミネートテープを追加収容したテープカートリッジを投入しても、ラミネート済み印刷テープを作成することは不可能であった。
【０００４】
本発明は上記の問題に鑑み、印刷後に印刷テープ自身により、その印刷表面をラミネート可能な印刷テープおよびこれを備えたテープカートリッジを提供することをその課題としている。
【課題を解決するための手段】
【０００５】
本発明の印刷テープは、表面を記録面とする印刷記録層と、印刷記録層の裏面に貼着した透明な擬似ラミネート層とを備えた印刷テープであって、擬似ラミネート層は、表面側のラミ用粘着剤層と裏面側の透明テープ層とを有すると共に、表裏反転して印刷記録層の表面に貼着することで記録面のラミネートテープとして機能することを特徴とする。
【０００６】
この構成によれば、印刷記録層表面に印刷後、使用者が裏面に貼着された擬似ラミネート層を剥がし、表裏反転させて再度印刷記録層表面に貼ることで、ラミネート済み印刷テープを作成することができる。
【０００７】
また、本発明の他の印刷テープは、表面を記録面とする印刷記録層と、印刷記録層の裏面に貼着した透明な擬似ラミネート層と、擬似ラミネート層の裏面に貼着した剥離テープ層とを備えた印刷テープであって、印刷記録層は、表面側の記録テープ層と裏面側の汎用粘着剤層とを有し、擬似ラミネート層は、表面側の透明テープ層と裏面側のラミ粘着剤層とを有すると共に、剥離テープ層を剥離して記録テープ層の表面に貼着することで記録面のラミネートテープとして機能することを特徴とする。
【０００８】
この構成によれば、記録テープ層表面に印刷後、使用者が裏面に貼着された擬似ラミネート層を剥離テープ層とともに剥がし、次に擬似ラミネート層を剥離テープ層から剥がした後、再度記録テープ層表面に貼ることで、ラミネート済み印刷テープを作成することができる。また、印刷記録層の裏面には、汎用粘着剤が塗布されているので、通常のテープラベルのように対象物に貼付することができる。
【０００９】
これらの場合、ラミ粘着剤層は、テープ平面内において粘着剤塗着部と粘着剤非塗着部とから成り、粘着剤非塗着部は、テープの幅方向両端部の少なくとも一部に形成されていることが好ましい。
【００１０】
また、この場合、粘着剤非塗着部は、テープの長さ方向に平行であって、少なくともテープ幅方向両端部を含む複数の縦断帯状部位で構成されていることが好ましい。
【００１１】
また、この場合、粘着剤非塗着部は、テープの長さ方向に対し傾斜し且つ相互に平行な複数の傾斜帯状部位で構成されていることが好ましい。
【００１２】
また、この場合、粘着剤非塗着部は、テープ幅方向に平行な複数の横断帯状部位で構成されていることが好ましい。
【００１３】
さらに、この場合、粘着剤塗着部は、分散配置した複数の島状部位で構成されていることが好ましい。
【００１４】
これらの構成によれば、粘着剤非塗着部を、印刷テープに対するラミネートテープの剥離開始部分として、これを簡単に引き剥がすことができる、特に、擬似ラミネート層がＰＥＴ材等の薄手のテープ材で構成されている場合に有用である。
【００１５】
さらに、本発明の他の印刷テープは、表面を記録面とする印刷記録層と、印刷記録層の裏面に貼着した剥離テープ層と、剥離テープ層の裏面に貼着した透明な擬似ラミネート層とを備えた印刷テープであって、印刷記録層は、表面側の記録テープ層と裏面側の汎用粘着剤層とを有し、擬似ラミネート層は、表面側のラミ粘着剤層と裏面側の透明テープ層とを有すると共に、剥離テープ層を剥離し且つ表裏反転して記録テープ層の表面に貼着することで記録面のラミネートテープとして機能することを特徴とする。
【００１６】
この構成によれば、記録テープ層表面に印刷後、使用者が裏面に貼着された擬似ラミネート層を剥離テープ層とともに剥がし、次に、擬似ラミネート層を剥離テープから剥がし、表裏反転させて再度記録テープ層表面に貼ることで、ラミネート済み印刷テープを作成することができる。また、印刷記録層の裏面には、汎用粘着剤が塗布されているので、通常のテープラベルのように対象物に貼付することができる。
【００１７】
また、本発明の他の印刷テープは、表面を記録面とする印刷記録層と、印刷記録層の裏面に貼着した透明な擬似ラミネート層とを備えた印刷テープであって、印刷記録層は、表面側の記録テープ層と裏面側の汎用粘着剤層とを有し、擬似ラミネート層は、表面側のラミ用粘着剤層と裏面側の透明テープ層とを有すると共に、表裏反転して記録テープ層の表面に貼着することで記録面のラミネートテープとして機能し、汎用粘着剤層およびラミ粘着剤層は、それぞれテープ平面内において複数の粘着剤塗着部位と複数の粘着剤非塗着部位とを交互に配置し、且つ各粘着剤塗着部位と各粘着剤非塗着部位とを相補的に貼り合せて成ることを特徴とする。
【００１８】
この構成によれば、記録テープ層表面に印刷後、使用者が裏面に貼着された擬似ラミネート層を剥がし、表裏反転させて再度記録テープ層表面に貼ることで、ラミネート済み印刷テープを作成することができる。また、印刷記録層の裏面には、汎用粘着剤が塗布されているので、通常のテープラベルのように対象物に貼付することができる。しかも、汎用粘着剤層とラミ粘着剤層とは、それぞれテープ平面内において複数の粘着剤塗着部位と複数の粘着剤非塗着部位とが交互に配置されているため、印刷記録層と擬似ラミネート層との剥離が容易であると共に、両粘着剤層同士が直接面接触することが無く、両粘着剤層の損傷を防止することができる。
【００１９】
この場合、汎用粘着剤層およびラミ粘着剤層のテープの幅方向両端部に位置する粘着剤塗着部位の少なくとも一部は、省略されていることが好ましい。
【００２０】
この構成によれば、粘着剤非塗着部を、印刷テープに対するラミネートテープの剥離開始部分として、これを簡単に引き剥がすことができる、特に、擬似ラミネート層がＰＥＴ材等の薄手のテープ材で構成されている場合に有用である。
【００２１】
本発明のテープカートリッジは、ロール状に巻回したこれらの印刷テープと、印刷テープを繰出し自在に収容したカートリッジケースと、を備えたことを特徴とする。
【００２２】
この構成によれば、上記の印刷テープを収容するテープカートリッジをテープ印刷装置に装着することにより、印刷後に、印刷表面をラミネート可能な印刷テープを提供することができる。
【発明の効果】
【００２３】
以上のように本発明の印刷テープおよびこれを備えたカートリッジによれば、印刷テープ自身により、その印刷表面をラミネート可能に構成されているので、例えばラミネート機能のないテープ印刷装置により、印刷を行なっても、ラミネート済み印刷テープを得ることができる。
【発明を実施するための最良の形態】
【００２４】
以下、添付図面を参照して、本発明を実施するための最良の形態にかかる印刷テープおよびこれを収容したテープカートリッジについて、また、このテープカートリッジが装着されるテープ印刷装置について詳細に説明する。テープ印刷装置は、テープカートリッジを介して装置内に装着した印刷テープに、所望の文字や図形などを印刷（印字）するとともに、印刷テープの印刷済み部分を所定の長さに切断してラベルを作製するものである。
【００２５】
図１は開蓋状態のテープ印刷装置１の外観斜視図であり、同図に示すようにテープ印刷装置１は、上下２分割の装置ケース２により外殻が形成され、装置ケース２の前部上面には各種入力キー３ａを備えたキーボード３が配置されるとともに、後部上面には開閉蓋４が配設されている。開閉蓋４の内側にはディスプレイ５とテープカートリッジ６を装着するためのカートリッジ装着部７が窪入形成されており、テープカートリッジ６は開閉蓋４を開放した状態でカートリッジ装着部７に着脱される。また、開閉蓋４にはこれを閉止した状態でディスプレイ５を視認するための覗き窓４ａが形成される。
【００２６】
装置ケース２の左側部には、カートリッジ装着部７と装置外部とを連通するテープ排出口８が形成され、このテープ排出口８には、送り出した印刷テープ１０を切断するための図外のテープカッタが臨んでいる。そして、テープ排出口８から印刷済みの印刷テープ１０が送り出されることにより、この印刷テープ１０がテープカッタにより切断される。
【００２７】
一方、カートリッジ装着部７には、ヘッドカバー１１に覆われた発熱素子を有する印刷ヘッド１２と、印刷ヘッド１２に対峙するプラテン駆動軸１３と、後述のインクリボン１８の巻取り駆動軸１４と、後述のテープリール２０の位置決め突起１５とを備えている。また、カートリッジ装着部７の下側には、図示省略したがプラテン駆動軸１３および巻取り駆動軸１４を回転させるテープ送り機構が内蔵される。さらに、カートリッジ装着部の隅部には、カートリッジ検出スイッチ１９が設けられている。
【００２８】
図２は上ケースの一部を破断して残したテープカートリッジ６の平面図である。同図に示すように、テープカートリッジ６は、上ケース１６ａと下ケース１６ｂとから成るカートリッジケース１６内に、印刷テープ１０およびインクリボン１８をそれぞれロール状に巻回して収容すると共に、上記の印刷ヘッド１２に対応するプラテンローラ９を収容したものである。また、カートリッジケース１６には、印刷テープ１０を巻回したテープリール２０と、インクリボンを巻回したリボン巻出しリール２１と、使用後のインクリボンを巻き取るリボン巻取りリールと２２が回転自在に収容されている。
【００２９】
一方、カートリッジケース１６には、プラテンローラ９の近傍に位置して、カートリッジケース１６を上下に貫通する略方形の貫通開口２５が形成されており、テープカートリッジ６をカートリッジ装着部７に装着すると、この貫通開口２５に装置側から印刷ヘッド１２が臨んでプラテンローラ９と対峙する。また、この状態では、装置側からプラテンローラ９およびリボン巻取りリール２２にそれぞれプラテン駆動軸１３および巻取り駆動軸１４が係合する。すなわち、プラテンローラ９およびリボン巻取りリール２２は駆動リールとして機能し、テープリール２０およびリボン巻出しリール２１は従動リールとして機能する。
【００３０】
テープリール２０から巻き出された印刷テープ１０は、テープガイドピン１７に案内されてプラテンローラ９に至り、この部分で印刷されてからカートリッジケース１６の側面に形成したテープ送出口１９から送り出される。一方、リボン巻出しリール２１から巻き出されたインクリボン１８は、第１リボンピン２３および第２リボンピン２４に案内され、プラテンローラ９に至る。ここでインクリボン１８は、印刷テープ１０に重なって印刷に供され、さらに上記の貫通開口２５を形成する開口壁２６に案内されてＵターンし、リボン巻取りリール２２に巻き取られる。この場合、駆動側のプラテンローラ９およびリボン巻取りリール２２は同期して回転するため、印刷テープ１０およびインクリボン１８は同時に走行し、また印刷テープ１０には走行しながら印刷が行われる。そして、テープ送出口１９から送り出された印刷テープ１０は、装置側のテープカッタにより切断され、ラベルとして使用される。
【００３１】
ここで、本発明の第１実施形態の印刷テープについて説明する。印刷テープ３１は、図３（ａ）に示すように、表面を記録面とする印刷記録層３３と、印刷記録層３３の裏面に貼着した透明な擬似ラミネート層３４を備えている。また、擬似ラミネート層３４は、その表面側にラミ用粘着剤層３５を、裏面側に透明テープ層３６を備えている。
【００３２】
印刷記録層３３および透明な擬似ラミネート層３４は、ＰＥＴ（ポリエチレンテレフタレート）材等の薄手のテープ材で構成されている。また、印刷記録層３３の表面は、インクののりを良好にすべく、コーティング処理されて記録面を構成している。これは、以下に説明する第２ないし第４実施形態まで同様である。なお、図示では省略したが、テープ幅の異なる複数種の印刷テープが用意されていることは、いうまでもない。
【００３３】
擬似ラミネート層３４に備えられたラミ用粘着剤層３５は、テープ平面内において、粘着剤が塗布された粘着剤塗着部７１と粘着剤が塗布されない粘着剤非塗着部７２とを有しており、粘着剤非塗着部７２はテープの幅方向両端部の少なくとも一部に形成されている。これにより、粘着剤非塗着部７２を剥離開始部分とすれば、簡単に擬似ラミネート層３４を引き剥がすことができる。
【００３４】
粘着剤塗着部７１および粘着剤非塗着部７２の形成パターンとして、例えば、粘着剤非塗着部７２が擬似ラミネート層３４から成るテープの長さ方向に平行であって、少なくともテープ幅方向両端部を含む複数の縦断帯状部位で構成されているストライプの形状（図４（ａ）参照）や、粘着剤非塗着部７２がテープ幅方向に平行な複数の横断帯状部位で構成されているストライプの形状（同図（ｃ）参照）、さらに、粘着剤塗着部７１が分散配置した複数の島状部位で構成される水玉模様の形状（同図（ｄ）参照）等が考えられる。しかし、上記の粘着剤非塗着部７２がテープ幅方向に平行な複数の横断帯状部位で構成されるパターン（同図（ｃ））では、カットの位置により粘着剤塗着部７１が僅かになってしまうテープが作成されるおそれがある。このような場合には、粘着剤非塗着部７２がテープの長さ方向に対し傾斜し且つ相互に平行な複数の傾斜帯状部位で構成されている縞状の形状（同図（ｂ））にしてもよい。なお、粘着剤塗着部７１および粘着剤非塗着部７２の形成パターンは、上記に限られたものではなく、テープの幅方向両端部の少なくとも一部に形成されていればよい。
【００３５】
次に、第１実施形態の印刷テープ３１を用いてラミネート済み印刷テープ３２を作成する作成手順について、図５を参照しながら説明する。同図の印刷テープ３１は、印刷ヘッド１２により、印刷記録層３３の表面に「ａｂｃｄｅ」の文字列が印刷されると共に、カッタにより所望の長さに切断されたものである（同図（ａ）参照）。このように、所望の印刷を行った印刷テープ３１に対し、まず、擬似ラミネート層３４を印刷記録層３３より引き剥がす（同図（ｂ）参照）。次に、引き剥がした擬似ラミネート層３４の表裏を逆転させ、その擬似ラミネート層３４を下向きにしてから、印刷記録層３３の表面に位置決めしつつ貼り付ける（同図（ｃ）参照）。これにより、印刷記録層３３の表面、すなわち「ａｂｃｄｅ」の文字列が印刷された記録面が、擬似ラミネート層３４によりラミネートされる。
【００３６】
次に、本発明の第２実施形態の印刷テープについて説明する。印刷テープ４１は、図６（ａ）に示すように、表面を記録面とする印刷記録層４３と、印刷記録層の裏面に貼着した透明な擬似ラミネート層４６と、擬似ラミネート層４６の裏面に貼着した剥離テープ層４９を備えている。また、印刷記録層４３は、その表面側に記録テープ層４４を、裏面側に汎用粘着剤層４５を、擬似ラミネート層４６はその表面側に透明テープ層４７を、裏面側にラミ用粘着剤層４８をそれぞれ備えている。
【００３７】
剥離テープ層４９は、表面をシリコンコーティングした上質紙で構成されている。また、ラミ用粘着剤層４８は、第１実施形態と同様（図４参照）にテープ平面内において、粘着剤が塗布された粘着剤塗着部７１と粘着剤が塗布されない粘着剤非塗着部７２とを有しており、粘着剤非塗着部７２はテープの幅方向両端部の少なくとも一部に形成されている。
【００３８】
第２実施形態の印刷テープ４１を用いてラミネート済み印刷テープ４２を作成する作成手順を、図７を参照しながら説明する。同図の印刷テープ４１は、印刷ヘッド１２により印刷記録層４３の表面に「ａｂｃｄｅ」の文字列が印刷されると共に、カッタにより所望の長さに切断されたものである（同図（ａ）参照）。このように、所望の印刷を行った印刷テープ４１に対し、まず、擬似ラミネート層４６を剥離テープ層４９とともに引き剥がす（同図（ｂ）参照）。次に、引き剥がした擬似ラミネート層４６から、擬似ラミネート層４６の裏面に貼着した剥離テープ層４９を引き剥がす（同図（ｃ）参照）。最後に、引き剥がした擬似ラミネート層４６を、記録テープ層４４の表面に位置決めしつつ貼り付ける（同図（ｄ）参照）。これにより、印刷記録層４３の表面、すなわち「ａｂｃｄｅ」の文字列が印刷された記録面が、擬似ラミネート層４６によりラミネートされる。さらに、印刷記録層４３の裏面側に備えられた汎用粘着剤層４５が露出することにより、通常のテープラベルのように対象物に貼付することもできる。
【００３９】
次に、本発明の第３実施形態の印刷テープについて説明する。印刷テープ５１は、図８（ａ）に示すように、表面を記録面とする印刷記録層５３と、印刷記録層の裏面に貼着した剥離テープ層５６と、剥離テープ層５６の裏面に貼着した透明な擬似ラミネート層５７を備えている。また、印刷記録層５３は、その表面側に記録テープ層５４を、裏面側に汎用粘着剤層５５を、擬似ラミネート層５７はその表面側にラミ用粘着剤層５８を、裏面側に透明テープ層５９をそれぞれ備えている。また、剥離テープ層５６は、第２実施形態同様、表面をシリコンコーティングした上質紙で構成されている。
【００４０】
第３実施形態の印刷テープ５１を用いてラミネート済み印刷テープ５２を作成する作成手順について、図９を参照しながら説明する。同図の印刷テープ５１は、印刷ヘッド１２により印刷記録層５３の表面に「ａｂｃｄｅ」の文字列が印刷されると共に、カッタにより所望の長さに切断されたものである（同図（ａ）参照）。このように、所望の印刷を行った印刷テープ５１に対し、まず、擬似ラミネート層５７を剥離テープ層５６より引き剥がす（同図（ｂ）参照）。次に、引き剥がした擬似ラミネート層５７の表裏を逆転させ、その擬似ラミネート層５７を下向きにしてから、印刷記録層５３の表面に位置決めしつつ貼り付ける（同図（ｃ）参照）。これにより、印刷記録層５３の表面、すなわち「ａｂｃｄｅ」の文字列が印刷された記録面が、擬似ラミネート層５７によりラミネートされる。さらに、剥離テープ層５６を印刷記録層５３より引き剥がせば（同図（ｄ）参照）、印刷記録層５３の裏面側に備えられた汎用粘着剤層５５が露出することにより、通常のテープラベルのように対象物に貼付することもできる。なお、汎用粘着剤層５５に対する剥離テープ層５６の粘着力よりも、ラミ用粘着剤層５８に対する剥離テープ層５６の粘着力を小さくしておいて、擬似ラミネート層５７を優先的に剥離できるようにすることが好ましい。
【００４１】
次に、本発明の第４実施形態の印刷テープについて説明する。印刷テープ６１は、図１０（ａ）に示すように、表面を記録面とする印刷記録層６３と、印刷記録層６３の裏面に貼着した透明な擬似ラミネート層６６とを備えている。また、印刷記録層６３は、その表面側に記録テープ層６４を、裏面側に汎用粘着剤層６５を、擬似ラミネート層６６はその表面側にラミ用粘着剤層６７を、裏面側に透明テープ層６８をそれぞれ備えている。
【００４２】
汎用粘着材層６５およびラミ用粘着剤層６７は、例えば、図１２（ａ），（ｂ）および（ｃ）に示すように、それぞれテープ平面内において、複数の粘着剤塗着部７１と、複数の粘着剤非塗着部７２とが交互に配置されており、それぞれの粘着剤塗着部７１と粘着剤非塗着部７２とを相補的に貼り合わせて形成されている。同図（ａ）は、粘着剤塗着部７１と粘着剤非塗着部７２とがテープ長さ方向に連続する帯状に形成され、同図（ｂ）は、粘着剤塗着部７１と粘着剤非塗着部７２とが格子状に形成されている。また、同図（ｃ）は、独立した円形の粘着剤塗着部７１が一定の間隔毎に列状に形成されている。さらに、それぞれのテープ幅方向両端部の少なくとも一部には、粘着剤が塗布されていない粘着剤非塗着部７２が形成されている。これにより、汎用粘着剤層６５とラミ用粘着剤層６７とが連続して積層していても、テープ平面内において粘着剤塗着部７１と粘着剤非塗着部７２とが交互に配置されているため、印刷記録層６３と擬似ラミネート層６６との剥離が容易であると共に、両粘着剤層同士が直接面接触することが無く、両粘着剤層の損傷を防止することができる。
【００４３】
第４実施形態の印刷テープ６１を用いてラミネート済み印刷テープ６２を作成する作成手順は、印刷ヘッド１２により印刷記録層６３の表面に「ａｂｃｄｅ」の文字列が印刷されると共に、カッタにより所望の長さに切断された印刷テープ６１に対し（図１１（ａ）参照）、擬似ラミネート層６６を印刷記録層６３より引き剥がし（同図（ｂ）参照）、引き剥がした擬似ラミネート層６６の表裏を逆転させ、その擬似ラミネート層６６を下向きにしてから、印刷記録層６３の表面に位置決めしつつ貼り付け（同図（ｃ）参照）、印刷記録層６３の表面、すなわち「ａｂｃｄｅ」の文字列が印刷された記録面を、擬似ラミネート層６６によりラミネートさせる。本実施形態の印刷テープ６１は、剥離テープ層を備えていないので、印刷記録層６３の裏面側に備えられた汎用粘着剤層６５が露出することにより、通常のテープラベルのように対象物に貼付するときに、剥離紙を引き剥がす手間を省くことができる。
【図面の簡単な説明】
【００４４】
【図１】本発明の実施形態に係るテープカートリッジが装着されるテープ印刷装置の外観図である。
【図２】実施形態に係るテープカートリッジの平面図である。
【図３】第１実施形態に係る印刷テープの横断断面図である。
【図４】第１ないし第２実施形態に係る印刷テープの粘着剤塗着部と粘着剤非塗着部を表した平面図である。
【図５】第１実施形態に係る印刷テープを用いてラミネート済み印刷テープを作成する作成手順を表した斜視図である。
【図６】第２実施形態に係る印刷テープの横断断面図である。
【図７】第２実施形態に係る印刷テープを用いてラミネート済み印刷テープを作成する作成手順を表した斜視図である。
【図８】第３実施形態に係る印刷テープの横断断面図である。
【図９】第３実施形態に係る印刷テープを用いてラミネート済み印刷テープを作成する作成手順を表した斜視図である。
【図１０】第４実施形態に係る印刷テープの横断断面図である。
【図１１】第４実施形態に係る印刷テープを用いてラミネート済み印刷テープを作成する作成手順を表した斜視図である。
【図１２】第４実施形態に係る印刷テープの粘着剤塗着部と粘着剤非塗着部を表した斜視図である。
【符号の説明】
【００４５】
１０、３１、４１、５１、６１  印刷テープ
３２、４２、５２、６２        ラミネート済み印刷テープ
３３、４３、５３、６３        印刷記録層
３４、４６、５７、６６        擬似ラミネート層
３５、 ４８、５８、６７        ラミ用粘着剤層
３６、４７、５９、６８        透明テープ層
４４、５４、６４              記録テープ層
４５、５５、６５              汎用粘着剤層
４９、５６                    剥離テープ層
７１                          粘着剤塗着部
７２                          粘着剤非塗着部
【図１】
2005205632.tif 000003
【図２】
2005205632.tif 000004
【図３】
2005205632.tif 000005
【図４】
2005205632.tif 000006
【図５】
2005205632.tif 000007
【図６】
2005205632.tif 000008
【図７】
2005205632.tif 000009
【図８】
2005205632.tif 000010
【図９】
2005205632.tif 000011
【図１０】
2005205632.tif 000012
【図１１】
2005205632.tif 000013
【図１２】
2005205632.tif 000014